(57)【要約】      （修正有）【課題】カード類の配達枚数を過度に制限することなく配達費用を可及的に削減するとともに、製造コストの削減及び省エネを実現し、さらにサイズの異なるカード類を収納可能な収納体を提供する。【解決手段】配達の規格サイズ内の段ボールから形成され、同一形状をなす複数枚のカード類Ｃが積層されて収納される複数の収納部２１を有し、互いに隣接する収納部２１を仕切る仕切り部を取り外し可能に構成している。カード類Ｃを配達の規格サイズ内に収まるものに収納することができ、配達費用を可及的に削減することができる。また、収納体２及び包装体３共に段ボールにより形成されているので、製造コストを削減することができる。その上、隣接する収納部２１の仕切り部を取り外し可能にしているので、サイズの異なるカード類Ｃを収納する場合にも対応可能である。【選択図】図１
0003150288.tif 000002
【実用新案登録請求の範囲】
【請求項１】
配達の規格サイズ内の段ボールから形成され、同一形状をなす複数枚のカード類が積層されて収納される複数の収納部を有し、互いに隣接する収納部を仕切る仕切り部を取り外し可能に構成している配達用収納体。
【請求項２】
前記複数の収納部が、矩形状をなすカード類を収納するものであり、長手方向又は短手方向に沿って設けられている請求項１記載の配達用収納体。
【請求項３】
前記複数の収納部が、格子状に設けられている請求項１又は２記載の配達用収納体。
【請求項４】
前記仕切り部を取り外した後、その取り外した仕切り部を当該仕切り部により仕切られていた収納部の端部に嵌め入れて、半分に折り畳んだ状態において前記仕切り部を取り外す前の収納部に収納可能なカード類を広げた状態で収納する請求項１、２又は３記載の配達用収納体。
【請求項５】
前記収納部が、前記段ボールを切り抜くことによって形成された貫通孔である請求項１、２、３又は４記載の配達用収納体。
【請求項６】
前記収納部に、前記カード類の収納及び取出しを容易にする切り欠き部が形成されている請求項１、２、３、４又は５記載の配達用収納体。
【請求項７】
前記段ボールが、複数の収納部を切り離し可能に構成されている請求項１、２、３、４、５又は６記載の配達用収納体。
【請求項８】
配達の規格サイズ内の段ボールから形成され、同一形状をなす複数枚のカード類が積層されて収納される複数の収納部を有し、互いに隣接する収納部を仕切る仕切り片を切り離し可能に構成しているカード類収納体と、
段ボールから形成され、少なくとも前記カード類収納体の表面及び裏面を覆い、前記カード類収納体を包装した状態において、配達の規格サイズ内となるように構成している配達用包装体とを具備する、配達用収容ケース。
【考案の詳細な説明】
【技術分野】
【０００１】
本考案は、カード類を収納するものであって配達の規格内に収まる配達用収納体、及び当該配達用収納体を用いた配達用収納ケースに関するものである。
【背景技術】
【０００２】
従来、名刺等のカード類を購入者に配達する場合には、例えば特許文献１に示すような専用のプラスチックケース内に収容して、当該ケースを封筒内に封入した後に、配達会社に配達を依頼している。
【０００３】
しかしながら、各配達会社は、配達物のサイズに応じて運賃を定めており、上述したプラスチックケースでは、特に厚みにおいて制約されて運賃が高くなってしまうという問題がある。また、メール便等の所定のサービスを受けたい場合には、そのサービスを受けることができず、通常の配達料金となってしまい配達費用が他の書類に比べてかかってしまうという問題がある。
【先行技術文献】
【特許文献】
【０００４】
【特許文献１】特開平１０−２３６５４８号公報
【考案の概要】
【考案が解決しようとする課題】
【０００５】
そこで本発明は、上記問題点を一挙に解決するためになされたものであり、カード類の配達枚数を過度に制限することなく配達費用を可及的に削減するだけでなく、カード類を充分に保護し、製造コストの削減、省エネを可能にし、さらにサイズの異なるカード類を収納可能な配達用収納体を提供することをその主たる所期課題とするものである。
【課題を解決するための手段】
【０００６】
すなわち本考案に係る配達用収納体は、配達の規格サイズ内の段ボールから形成され、同一形状をなす複数枚のカード類が積層されて収納される複数の収納部を有し、互いに隣接する収納部を仕切る仕切り部を取り外し可能に構成していることを特徴とする。ここで、「配達の規格サイズ」とは、各配達会社により定められている規格サイズであり、この規格サイズにより運賃が定められている。また、「カード類」とは、名刺、ショップカード、ポイントカード、ポストカード等の各種カードが含まれる。
【０００７】
このようなものであれば、カード類を配達の規格サイズ内に収まるものに収納することができ、配達費用を可及的に削減することができる。また、段ボールにより形成されているので、製造コストを削減することができるとともに、プラスチックを用いた場合に比べて省エネルギーも可能となる。さらに、隣接する収納部の仕切り部を取り外し可能にしているので、サイズの異なるカード類を収納する場合にも対応可能である。
【０００８】
具体的には、配達用収納体が、各配達会社の提供するメール便サービスの規格サイズのうち、一番小さい規格サイズ内に収まるものであれば、配達料金を最も安くすることができる。
【０００９】
前記複数の収納部が、矩形状をなすカード類を収納するものであり、長手方向又は短手方向に沿って設けられていることが望ましい。
【００１０】
具体的には、前記複数の収納部が、格子状に設けられていることが望ましい。
【００１１】
２つ折りのカードを確実に収納するとともに、配達用収納体の構成を簡単にするためには、前記仕切り部を取り外した後、その取り外した仕切り部を当該仕切り部により仕切られていた収納部の端部に嵌め入れて、半分に折り畳んだ状態において前記仕切り部を取り外す前の収納部に収納可能なカード類を広げた状態で収納することが望ましい。
【００１２】
配達用収納体の構成を簡単にするとともに、製造コストを削減するためには、前記収納部が、前記段ボールを切り抜くことによって形成された貫通孔であることが望ましい。
【００１３】
配達用収納体の使い勝手を向上させるためには、前記収納部に、前記カード類の収納及び取出しを容易にする切り欠き部が形成されていることが望ましい。
【００１４】
配達するカード類の枚数に合わせて配達用カード類収納体のサイズを変更可能にするためには、前記段ボールが、複数の収納部を切り離し可能に構成されていることが望ましい。
【００１５】
また、本発明に係る配達用収納ケースは、配達の規格サイズ内の段ボールから形成され、同一形状をなす複数枚のカード類が積層されて収納される複数の収納部を有し、互いに隣接する収納部を仕切る仕切り片を切り離し可能に構成しているカード類収納体と、段ボールから形成され、少なくとも前記カード類収納体の表面及び裏面を覆い、前記カード類収納体を包装した状態において、配達の規格サイズ内となるように構成している配達用包装体とを具備することを特徴とする。
【考案の効果】
【００１６】
このように構成した本考案によれば、カード類の配達枚数を過度に制限することなく配達費用を可及的に削減するだけでなく、カード類を充分に保護し、製造コストの削減、省エネを可能にし、さらにサイズの異なるカード類を収納可能な配達用収納体を提供することができる。
【図面の簡単な説明】
【００１７】
【図１】本考案の一実施形態に係る配達用収納ケースの斜視図である。
【図２】同実施形態の配達用収納体の平面図である。
【図３】同実施形態の配達用収納体の部分拡大図である。
【図４】仕切り部を長手方向に移動させた状態を示す図である。
【図５】仕切り部を短手方向に移動させた状態を示す図である。
【図６】３つ折りのカードを広げた状態で収納する図である。
【図７】同実施形態の配達用包装体の展開図である。
【図８】同実施形態の配達用包装体による配達用収納体の包装時を示す図である。
【図９】変形実施形態に係る配達用収納体の平面図である。
【考案を実施するための形態】
【００１８】
以下に本考案に係る配達用収納ケース１００の一実施形態について図面を参照して説明する。
【００１９】
本実施形態に係る配達用収納ケース１００は、名刺等のカード類Ｃを配達する際に用いられるものであり、図１に示すように、カード類Ｃを収納する配達用収納体２（以下、単に収納体２ともいう。）と、当該収納体２を包装する配達用包装体３（以下、単に包装体３という。）とからなる。
【００２０】
収納体２は、図１及び図２に示すように、配達の規格サイズ内の段ボールから形成され、同一形状をなす複数枚のカード類Ｃが積層されて収納される複数の収納部２１を有する。
【００２１】
本実施形態の配達の規格サイズは、メール便が利用できるサイズであり、具体的には縦横がＡ４（角２封筒以内）であり厚さ１ｃｍ以内のサイズである。なお、同一形状をなす複数枚のカード類Ｃは、収納部２１に収納される際には、取り扱い容易性のため、紙帯Ｃ１により一体的に纏められている。
【００２２】
ここで、収納体２に用いられる段ボールは、平面視形状が概ねＡ４サイズ、厚さが０．８ｍｍ程度のものであり、強度を大きくする観点から、Ａフルート（厚さ約５ｍｍ）とＢフルート（厚さ約３ｍｍ）を貼り合わせたＷフルートを用いている。
【００２３】
収納部２１は、矩形状をなすカード類Ｃ（名刺）を収納するものであり、長手方向（図２中、矢印Ａ）又は短手方向（図２中矢印Ｂ）に沿って設けられており、本実施形態では、長手方向に２つ及び短手方向に４つ配置されて格子状に設けられている。
【００２４】
また、収納部２１の開口形状は、収納するカード類Ｃの平面視形状と概略同一形状をなすものであり、収納するカード類Ｃが名刺である場合には、当該名刺の平面視形状（具体的には長方形状）と概略同一形状をなす。さらに、収納部２１は、段ボールを切り抜くことによって形成された貫通孔である。
【００２５】
なお、段ボール（収納体２）の厚みは、所定枚数（例えば２５枚）のカード類Ｃを重ね合わせた場合の厚みと略同一又は若干大きいものであり、収納体２がカード類Ｃを収納した状態において、当該カード類Ｃが、収納体２の平面と略面一又は収納体２内部に位置するようにしている。これにより、重ね合わされた一群のカード類Ｃを確実に収納することができる。
【００２６】
そして、本実施形態の収納体２は、互いに隣接する収納部２１を仕切る仕切り部２２を有し、当該仕切り部２２が取り外し可能に構成されている。本実施形態では、矩形状の収納部２１が格子状に設けられていることから、仕切り部２２は矩形状をなす。
【００２７】
具体的には、長手方向に隣接する収納部２１間の仕切り部２２を取り外し可能に構成すると共に、短手方向に隣接する収納部２１間の仕切り部２２を取り外し可能に構成している。
【００２８】
そして、特に図３の部分拡大図に示すように、仕切り部２２の接続端部には、当該仕切り部２２が仕切っている収納部２１の側面に沿ってミシン目２３を設けられ、これによって、仕切り部２２が取り外し可能に構成されている。このミシン目２３を切り離すことにより仕切り部２２が取り外される。
【００２９】
しかして本実施形態の収納体２は、折り畳んだ状態において、仕切り部２２を取り外す前の収納部２１（開口面積Ｗ）に収納可能なカード類Ｃを広げた状態で収納可能に構成している。
【００３０】
つまり、収納体２は、長手方向又は短手方向に隣接する収納部２１の仕切り部２２を取り外した後、その取り外した仕切り部２２を当該仕切り部２２により仕切られていた収納部２１の端部に嵌め入れることにより、新たに収納部２１が形成されるものである。例えば１つの仕切り部２２を移動させると、開口面積２×Ｗの新たな収納部２１が形成される。
【００３１】
例えば、図４に示すように、長手方向（図４において左右方向）に隣接する収納部２１の仕切り部２２を取り外した場合には、当該仕切り部２２が取り外されて形成された新たな収納部２１の長手方向端部に仕切り部２２を嵌め入れる。なお、図４中において、ハッチングを付した仕切り部２２が移動させたものである。また、図５に示すように、短手方向（図５において上下方向）に隣接する収納部２１の仕切り部２２を取り外した場合に、当該仕切り部２２が取り外されて形成された新たな収納部２１の短手方向端部に仕切り部２２を嵌め入れる。なお、図５中において、ハッチングを付した仕切り部２２が移動させたものである。
【００３２】
２つ折りされる（半分に折り畳まれる）カード類Ｃの他、３つ折りされるカード類Ｃを広げた状態で収容する場合には、図６に示すように、長手方向又は短手方向（図６においては短手方向）に並ぶ仕切り部２２を２つ取り外して、それら仕切り部２２を短手方向端部に嵌め入れる。これにより、３つ折りされるカード類Ｃを広げた状態で収納体２に収納することができる。なお、図６中、ハッチングを付した仕切り部２２が移動させたものである。
【００３３】
また、収納部２１の一辺、具体的には収納部２１の長辺部には、カード類Ｃの収納及び取出しを容易にするために切り欠き部２４が形成されている。本実施形態では、各収納部２１に対応して１つずつ切り欠き部２４が形成されており、この切り欠き部２４は仕切り部２２に設けられている。また、切り欠き部２４は、指の一部が入り込む形状であれば良く、本実施形態では、半円形状をなすものである。
【００３４】
さらに、本実施形態の収納体２は、複数の収納部２１が切り離し可能に構成されている。具体的には、収納体２を２分割又は４分割可能に構成されており、図２等に示すように、上下方向に２分割するためのミシン目２５と、左右方向に２分割するためのミシン目２６とが形成されている。これにより、１つの収納部２１に２５枚の名刺が収納可能な場合に、２００枚の名刺を配達する場合には、収納体２を分割することなく用いれば良く、５０枚の名刺を配達する場合には、４分割して、その分割された１つを用いる。また、１００枚の名刺を配達する場合には、２分割して、その分割された１つを用いる。
【００３５】
包装体３は、段ボールから形成され、カード類Ｃ収納体２を覆い、カード類Ｃ収納体２を包装した状態において、配達の規格サイズ内となるように構成されている。ここで、包装体３に用いられる段ボールは、Ｆフルート（厚さ約１ｍｍ）又はＧフルート（厚さ約０．９ｍｍ）である。
【００３６】
具体的に包装体３は、１枚の段ボールを裁断して折り曲げることにより形成され、図７に示すように、収納体２が載置される概略矩形状の底板部３１と、当該底板部３１の４辺に連設された側板部３２、３３、３４、３５と、当該側板部３２、３３、３４、３５のうち対向する一方の側板部３２、３３に連設された第１の内フラップ３６及び第２の内フラップ３７と、対向する他方の側板部３４、３５に連設された第１の外フラップ３８及び第２の外フラップ３９とからなる。底板部は、収納部２よりも若干大きい。側板部３２〜３５の幅は収納体２の厚さに対応したものであり、本実施形態では、約８ｍｍである。
【００３７】
第１の内フラップ３６及び第２の内フラップ３７の基端部には、第１の外フラップ３８及び第２の外フラップ３９の左右側縁に設けられた挿込片３８ａ、３９ａが挿入される挿込孔３６ｈ、３７ｈが形成されている。また、第２の外フラップ３９には、第１の外フラップ３８及び第２の外フラップ３９が収納体２を覆ったときに、第１の外フラップ３８の先端部に設けられた挿込片３８ｂが挿入される挿込孔３９ｈが形成されている。
【００３８】
次に、収納体２を包装体３で包装する手順について図８を参照して説明する。カード類Ｃが収納された収納体２を包装体３の底板部３１上に載置する。その後、第１の内フラップ３６及び第２の内フラップ３７が形成された側板部３２、３３を底板部３１に対して垂直に折り曲げるとともに、第１の内フラップ３６及び第２の内フラップ３７を収納体２上面を覆うように折り曲げる。
【００３９】
その後、第２の外フラップ３９が形成された側板部３５を底板部３１に対して垂直に折り曲げるとともに、第２の外フラップ３９を収納体２上面を覆うように折り曲げる。このとき、第２の外フラップ３９の左右側縁に形成された挿込片３９ａを挿込孔３６ｈ、３７ｈに挿入する。
【００４０】
次に、第１の外フラップ３８が形成された側板部３４を底板部３１に対して垂直に折り曲げるとともに、第１の外フラップ３８を収納体２上面を覆うように折り曲げる。このとき、第１の外フラップ３８の左右側縁に形成された挿込片３８ａを挿込孔３６ｈ、３７ｈに挿入し、第１の外フラップ３８の先端部に形成された挿込片３８ｂを挿込孔３９ｈに挿入する。このようにして、収納体２が包装体３により包装され、ケース１００全体としてＡ４サイズ、厚さ約１ｃｍとなる。
【００４１】
＜本実施形態の効果＞
このように構成した本実施形態に係る配達用収納ケース１００によれば、カード類Ｃを配達の規格サイズ内に収まるものに収納することができ、配達費用を可及的に削減することができる。また、収納体２及び包装体３共に段ボールにより形成されているので、製造コストを削減することができるとともに、プラスチックを用いた場合に比べて省エネルギーも可能となり、さらに廃棄における分別が簡単となる。その上、隣接する収納部２１の仕切り部２２を取り外し可能にしているので、サイズの異なるカード類Ｃを収納する場合にも対応可能である。
【００４２】
＜その他の変形実施形態＞
なお、本考案は前記実施形態に限られるものではない。
【００４３】
例えば、前記実施形態では、仕切り部を取り外した後に再び収納部の端部に嵌め入れているが、仕切り部を取り外した状態で、カード類を収納するようにしても良い。
【００４４】
また、前記実施形態の仕切り部は、段ボールに一体的に形成されて、ミシン目により取り外し可能に構成されているが、その他、収納体を形成する段ボールとは別部材（段ボール等）を嵌め入れることにより構成しても良い。
【００４５】
さらに、前記実施形態では、収納体を段ボール製の包装体により包装しているが、その他、ビニールなどの包装体により包装するようにしても良い。
【００４６】
その上、前記実施形態の包装体は所謂たとう式（ヤッコ形タイプ）のものであったが、これに限られず、Ｎ式上差込タイプ又はＮ式サイド差込タイプ等であっても良い。
【００４７】
加えて、前記実施形態では、包装体で包装した後、宛名シールを包装体の表面に貼着して配達することになるが、廃棄の段階で包装体を段ボールとして廃棄する場合にはシールをはがす必要があり手間である。したがって、廃棄の利便性を考慮すると、包装体に内部視認窓を設け、収納体とともに宛名シートを包装して、内部視認窓から宛名シールに記載された宛名及び住所が外部から視認可能に構成しても良い。これならば、包装体３に宛名シールを貼着する必要がなく、廃棄が簡単になる。
【００４８】
その上、前記実施形態の収納体を用いてカード類よりも小さい被収納物を配達可能に構成することも考えられる。このとき、図９に示すように、収納部２１に収納されるとともに、被収納物Ｗを保持する中間枠体２７を備えている。なお、図９中、中間枠体２７には斜線を付している。この中間枠体２７を収納部２１に嵌め入れ、その中間枠体２７に形成された保持部２７１内に被収納物Ｗを収納させる。このとき被収納物Ｗが例えば検便等の検査キットである場合には、その他の収納部２１に当該検査キットの説明書を収納する。
【００４９】
その他、前述した実施形態や変形実施形態の一部又は全部を適宜組み合わせてよいし、本考案は前記実施形態に限られず、その趣旨を逸脱しない範囲で種々の変形が可能であるのは言うまでもない。
【符号の説明】
【００５０】
１００・・・配達用収納ケース
Ｃ    ・・・カード類（名刺）
２    ・・・配達用収納体
２１  ・・・収納部
２２  ・・・仕切り部
２３  ・・・ミシン目
２４  ・・・切り欠き部
３    ・・・配達用包装体
【図１】
0003150288.tif 000003
【図２】
0003150288.tif 000004
【図３】
0003150288.tif 000005
【図４】
0003150288.tif 000006
【図５】
0003150288.tif 000007
【図６】
0003150288.tif 000008
【図７】
0003150288.tif 000009
【図８】
0003150288.tif 000010
【図９】
0003150288.tif 000011